(57)【要約】    【課題】一人の利用者が複数枚の非接触型ＩＣカード（カード）を同時にアンテナにかざして入出場する際、それらカードに対する新たなデータの書き込みが所定の順序で行われるようにする。    【解決手段】複数枚のカードがアンテナに同時にかざされたときにカードデータを読み取り、その読み取られたカードデータを基に所定の入出場の演算処理を行い、その演算処理の結果、入出場を許可できると判定されたときときに、それら複数枚のカードに入出場に係る新たなデータを書き込む自動改札機であって、前記複数枚のカードに対する新たなデータの書込順序を設定する書込順序設定手段と、その書込順序設定手段で設定された書込順序にしたがって前記複数枚のカードに新たなデータの書き込みを行う書込制御手段とを有している。    【選択図】図５
2008123077.tif 000002
【特許請求の範囲】
【請求項１】
複数枚の非接触型ＩＣカードが自動改札機の本体のアンテナに同時にかざされたときにそれら複数枚の非接触型ＩＣカードに記録されているカードデータを読み取り、その読み取られたカードデータを基に所定の入出場の演算処理を行い、その演算処理の結果、入出場を許可できると判定されたときときに、それら複数枚の非接触型ＩＣカードに入出場に係る新たなデータを書き込む自動改札機であって、
前記複数枚の非接触型ＩＣカードに対する新たなデータの書込順序を設定する書込順序設定手段と、
前記書込順序設定手段で設定された書込順序にしたがって前記複数枚の非接触型ＩＣカードに新たなデータの書き込みを行う書込制御手段と、
を有することを特徴とする自動改札機。
【請求項２】
請求項１に記載の自動改札機において、その自動改札機の本体は、自社線と他社線との連絡改札口に設置されるものであるであることを特徴とする自動改札機。
【請求項３】
請求項２に記載の自動改札機において、前記複数枚の非接触型ＩＣカードは、自社線用の非接触型ＩＣカードと他社線用の非接触型ＩＣカードとからなることを特徴とする自動改札機。
【請求項４】
請求項２又３に記載の自動改札機において、前記書込順序設定手段は、これまで乗車してきた非接触型ＩＣカードがこれから乗車する非接触型ＩＣカードより先に書き込まれるように設定されることを特徴とする自動改札機。
【発明の詳細な説明】
【技術分野】
【０００１】
本発明は一人の利用者が複数枚の非接触型ＩＣカードを同時に使用することのできる非接触式の自動改札機に係り、特に、自社線と他社線との連絡改札口に設置されるワンラッチ型に好適なものに関する。
【背景技術】
【０００２】
近年、自動改札機は、利用者（旅客）の利便向上を図るために、定期券やＳＦカード等の乗車券媒体を無線機能を備えたＩＣカードからなる非接触型ＩＣカードとし、この非接触型ＩＣカードを自動改札機の本体に設けられているアンテナに軽くタッチ又はそのアンテナの通信範囲にかざして（本発明では、このタッチもかざしの中に含めている。）入出場（入場又は出場を意味している。）できるようになってきている。また、自社線から他社線への乗継の利便を図る等の理由により、一人の利用者が複数枚の非接触型ＩＣカードを同時にアンテナにかざして入出場できるようにすることも提案されている（特許文献１，２参照）。
【特許文献１】特開２０００−１２３１２１号
【特許文献２】特開２０００−２７６５６１号
【発明の開示】
【発明が解決しようとする課題】
【０００３】
一人の利用者が複数枚の非接触型ＩＣカードを同時にアンテナにかざして入出場できるようにした場合は、利用者の利便向上が一層図られるという特長が得られる。しかし、複数枚の非接触型ＩＣカードがアンテナにかざされたときに、いずれの非接触型ＩＣカードから読み取が開始され、その読み取られたデータを基にした入出場用の演算処理結果である新たなデータの書き込みが行われるかは決められておらず、非接触型ＩＣカードの積層状態、かざし姿勢等により決定されて順に読取・書込処理が行われるので、非接触型ＩＣカードのその後の使用に不都合が生じることがあった。
【０００４】
図６を用いて更に説明すると、この図６では、非接触式の自動改札機Ｇ′が自社線と他社線との連絡改札口に設置されるワンラッチ型として示されている。そして、ここでは、利用者イがその自動改札機Ｇ′の本体のアンテナｇに共に有効な自社線用の非接触型ＩＣカードＡ及び他社線用の非接触型ＩＣカードＢの二枚を積層して手に持ってアンテナｇにかざし、自社線側から他社線側に通過しようとしている。この場合、自社線用の非接触型ＩＣカードＡ及び他社線用の非接触型ＩＣカードＢに対してそれぞれ所定の入出場に係るデータの書き込みが完了していれば問題がないが、自社線用の非接触型ＩＣカードＡに所定の入出場に係るデータが書き込まれることなく改札通路を通過したとき、つまり改札通路を強行突破したときは、他社線側においてはその未書き込みの自社線用の非接触型ＩＣカードＡに対して出場に係るデータの書き込みを行うことができず、非接触型ＩＣカードＡの入出場サイクル（入場→出場→入場→出場→…）に異常を来たし、その後の非接触型ＩＣカードＡの使用に不都合を生じるおそれがあった。
【０００５】
そこで、本発明は、上記欠点を解決するためになされたものであって、その目的は、一人の利用者が複数枚の非接触型ＩＣカードを同時にアンテナにかざして入出場する際、非接触型ＩＣカードのその後の使用に不都合を生じさせることがないようにした自動改札機を提供することにある。
【課題を解決するための手段】
【０００６】
本発明に係る自動改札機は、上記目的を達成するために、請求項１に記載の発明は、複数枚の非接触型ＩＣカードが自動改札機の本体のアンテナに同時にかざされたときにそれら複数枚の非接触型ＩＣカードに記録されているカードデータを読み取り、その読み取られたカードデータを基に所定の入出場の演算処理を行い、その演算処理の結果、入出場を許可できると判定されたときときに、それら複数枚の非接触型ＩＣカードに入出場に係る新たなデータを書き込む自動改札機であって、前記複数枚の非接触型ＩＣカードに対する新たなデータの書込順序を設定する書込順序設定手段と、その書込順序設定手段で設定された書込順序にしたがって前記複数枚の非接触型ＩＣカードに新たなデータの書き込みを行う書込制御手段とを有することを特徴としている。
請求項２に記載の自動改札機は、その自動改札機の本体は自社線と他社線との連絡改札口に設置されるものであるであることを特徴としている。
本発明の請求項３に記載の自動改札機は、複数枚の非接触型ＩＣカードは自社線用の非接触型ＩＣカードと他社線用の非接触型ＩＣカードとからなることを特徴としている。
本発明の請求項４に記載の自動改札機は、書込順序設定手段はこれまで乗車してきた非接触型ＩＣカードがこれから乗車する非接触型ＩＣカードより先に書き込まれるように設定されることを特徴としている。
【発明の効果】
【０００７】
本発明の請求項１に記載の自動改札機は、複数枚の非接触型ＩＣカードに対する新たなデータの書込順序を設定する書込順序設定手段と、その書込順序設定手段で設定された書込順序にしたがって前記複数枚の非接触型ＩＣカードに新たなデータの書き込みを行う書込制御手段ので、非接触型ＩＣカードのその後の使用に支障を来さないように所定の順序で書込処理を行うことができる。
本発明の請求項２に記載の自動改札機は、その自動改札機の本体は自社線と他社線との連絡改札口に設置されるので、ワンラッチ型の自動改札機に効果的に対処することができる。
本発明の請求項３に記載の自動改札機は、複数枚の非接触型ＩＣカードは自社線用の非接触型ＩＣカードと他社線用の非接触型ＩＣカードとからなるので、ワンラッチ型の自動改札機に効果的に対処することができる。
本発明の請求項４に記載の自動改札機は、書込順序設定手段はこれまで乗車してきた非接触型ＩＣカードがこれから乗車する非接触型ＩＣカードより先に書き込まれるように設定されるので、これまで乗車してきた降車側の非接触型ＩＣカードの書込未了を効果的に防止することができる。
【発明を実施するための最良の形態】
【０００８】
以下、本発明を実施するための最良の形態を図面を用いて説明する。図１は本発明に係る自動改札機の本体（以下、「改札機本体」という。）Ｇを構成する一対の筐体のうち、一方の筐体Ｇ1を改札通路Ｐ側から見たときの正面図である。この改札機本体Ｇの筐体Ｇ1の入口側（図１において右側）の上面には、磁気券からなる乗車券（図示せず）を投入するための投入口１が設けられているとともに、その投入口１よりも改札通路Ｐの内側の上面には、図示しない無線通信機能を備えたＩＣカードからなる非接触型ＩＣカード（以下、「カード」という。）Ａ，Ｂと交信するためのアンテナ２が設けられている。なお、図示の例では、利用者イが二枚のカードＡ，Ｂを積層して手に直接保持してアンテナ２にかざしている状態が示されているが、これらカードＡ，Ｂが図示しないカードケースに積層して収納し、そのカードケースをアンテナ２にかざす場合であってもよいことはもちろんである。また、図示の例では、カードＡは自社線用のカードとして、そしてカードＢは他社線用のカードとして示されている。
【０００９】
また、この筐体Ｇ1の出口側の上面には、利用者へ磁気券から乗車券を返却するための取出口３が設けられている。さらに、この改札機本体Ｇの内側には、図示しないが、投入口１から投入された乗車券を取出口３又は集札箱（図示せず）まで搬送する磁気ヘッド等を備えたカードハンドラが設けられている。
【００１０】
図中、Ｄ1，Ｄ2はドアであり、このうちドアＤ1は改札通路Ｐの出口側（図１に示す例では左側）に設けられ、ドアＤ2は改札通路Ｐの入口側に設けられている。これらドアＤ1，Ｄ2は後述する制御器によって開閉制御されて利用者の改札通路Ｐの通過を許可したり、または阻止できるように構成されている。そして、改札通路Ｐの出口側のドアＤ1は、乗車券類（磁気券からなる乗車券及び本発明に係るカード）を基にして開閉制御され、改札通路Ｐの入口側のドアＤ2は、改札通路Ｐを利用者が逆進してきたとき、すなわち、改札通路Ｐを出口側から入口側に進入したときに閉じられるとともに、改札機本体Ｇが稼動停止中に閉じられるように構成されている。
【００１１】
図１中、４ａ〜４ｆは、光電素子からなる透過型人間検知器であって、改札機本体Ｇの筐体Ｇ1の側面に所定の間隔を保って設けられている。さらに、この人間検知器は、改札機本体Ｇの筐体Ｇ1の上面の改札通路Ｐと反対側で、その改札通路Ｐの通過方向に沿って設けられたセンサ取付ボックス５内にそれぞれ設けられている赤外線を利用した測距式の反射型人間検知器６ａ〜６ｃによっても構成されている。この反射型人間検知器６ａ〜６ｃは、改札通路Ｐ内の大人の利用者を検知できるように、改札通路Ｐの床面から所定高さ以上の物体（利用者）を検知できるように構成されている。したがって、透過型人間検知器４ａ〜４ｆ及び反射型人間検知器６ａ〜６ｃの両方で検知されたときは、その利用者を大人の利用者と判定し、反射型人間検知器６ａ〜６ｃで検知されることなく透過型人間検知器４ａ〜４ｆのみで検知されたときは、その利用者を子供（小児）の利用者と判定することができる。
【００１２】
上記透過型人間検知器４ａ〜４ｆは、改札通路Ｐ内への利用者の進入及び進出を検出するとともに、改札通路Ｐのほぼ中央部に設けられている透過型人間検知器４ｃ，４ｄは、他の透過型人間検知器よりも間隔が狭く設けられていて、これら透過型人間検知器４ｃ，４ｄの検知順序により利用者の進行方向を検知できるように構成されている。
【００１３】
上記改札機本体Ｇの筐体Ｇ1の側面には、利用者に対して音声により所定の案内を行うためのスピーカ７が取付けられている。また、この改札機本体Ｇの筐体Ｇ1の上面の出口側には、利用者に対して文字により所定の案内を行うための表示画面８が取付けられている。さらに、筐体Ｇ1のセンサ取付ボックス５の上面で改札通路Ｐの出口側には、係員に対して無効券の発生及び利用者が子供である旨を報知するための報知灯Ｌが設けられている。
【００１４】
図１中、Ｃは、改札機本体Ｇの制御動作を司る筐体Ｇ1内に設けられた制御器であり、その概略構成を示すブロック図が図２に示されている。この制御器Ｃは、ＲＯＭ２０に記憶されているシステムプログラム及びＲＡＭ２１に記憶されているワーキングデータを用いて所定の演算処理を行う中央処理部（ＣＰＵ）２２を有している。そして、このＣＰＵ２２は、本発明の書込順序設定手段及び書込制御手段の機能を有しているとともに、Ｉ／Ｏユニット２３を介して磁気券からなる乗車券を処理するカードハンドラ（図示せず）を駆動制御するカードハンドラドライバ２４と、ドアＤ1，Ｄ2のドア駆動機構を駆動制御するドアドライバ２５と、各人間検知器４ａ〜４ｆ，６ａ〜６ｃの検知信号を入力するセンサアンプ２６とが接続されている。またこのＣＰＵ２２には、アンテナ２を接続し、カードＡ，Ｂを処理するためのリーダライタ２７が接続されている。このリーダライタ２７は、カードＡ，Ｂとデータ授受を行う機能と、カードＡ，Ｂに電力を供給するための機能とを有している。なお、Ｉ／Ｏユニット２３には、表示画面８の表示内容を駆動制御する表示ドライバや報知灯Ｌを駆動制御するランプドライバ等も接続されているが、ここでは省略されている。
【００１５】
上記ＲＯＭ２０（又はＲＡＭ２１）には、カードＡ，Ｂに対する書込順序に関するプログラムが予め格納されている。図示の例では、カードＡに対する書き込みがカードＢよりも先に行われるように書込順序のプログラムが予め格納されている。すなわち、この書込順序のプログラムは、カードＡ，Ｂに対する読取順序に関係なく、それらカードＡ，Ｂに対する書き込みは、これまで乗車してきた入場データの書き込まれているカードの方が、これから使用しようとしているカードよりも先に書込処理ができるように決められている。なお、ここでは、カードＡはワンラッチ型の改札機本体Ｇの設置駅まで乗車してきた自社線用のカードであり、カードＢはその改札機本体Ｇを通過してこれから乗車しようとする自社線用のカードである。
【００１６】
図３は、カードＡ，Ｂの電気的構成をブロック図である。これらはカードＡ，Ｂは同一構成であるので、カードＡを例に説明すると、このカードＡは、周知の無線通信機能を有する非接触型ＩＣカードと同様に構成されている。すなわち、このカードＡには、アンテナ３０と、改札機本体Ｇ側と交信するための通信制御部３１と、その通信制御部３１と図示しないＩ／Ｏユニットを介して接続されているＣＰＵ３２と、システムプログラムデータの他に所定のカードデータの記憶されているメモリ３３と、改札機本体Ｇからの電力波をアンテナ３０を介して受信し、カードＡの駆動電力を生成する電力生成回路３４とを有している。
【００１７】
上記メモリ３３は、カードＡの識別データ（カードＩＤ）を記憶するカードＩＤデータ記憶部３３ａと、乗車区間や有効期間等の所定の定期券データを記憶する定期券データ記憶部３３ｂと、カードＡが定期券の乗車区間外（定期券データが有効期間切れ等により無効券のときは、定期券の乗車区間内も含む。）で使用されたときに、乗車運賃を減額処理する普通乗車券の機能を有する金額データ（ＳＦデータ）を記憶するＳＦデータ記憶部３３ｃとを有している。また、図示しないが、このメモリ３３には、所定の入場データ及び出場データを記憶する記憶部等も設けられているが、ここでは省略されている。カードＢも同様に構成されている。
【００１８】
以下、改札機本体Ｇが上記図６に示されていると同様に、自社線と他社線との連絡改札口に設置されるワンラッチ型の自動改札機のときの制御動作を図４及び図５のフローチャートを用いて説明する。今、利用者イによって、改札機本体Ｇが稼動していて、その改札機本体Ｇのアンテナ２に自社線用のカードＡ及び他社線用のカードＢが同時にかざされたとする（ステップ１００肯定。以下、ステップを「Ｓ」とする。）。なお、ここでは、これらカードＡ，Ｂは、二枚でこのワンラッチ型の自動改札機を介して通過できる有効券であるとする。
【００１９】
カードＡ，Ｂがアンテナ２にかざされると、カードＡ，Ｂにそれぞれ記録（記憶）されているカードデータが読み取られてＲＡＭ２１に記憶され、その記憶されたカードデータを用いてＣＰＵ２２により所定の入出場の演算処理が行われ、その演算処理の結果である新たな入出場データがカードＡ，Ｂにそれぞれ送信されてカードＡ，Ｂのメモリ３３にそれぞれ書き込まれる（記憶される）（Ｓ１０２、Ｓ１０４、Ｓ１０６）。この書込処理については後に詳述する。なお、図４のフローチャートでは省略されているが、上述の演算処理の結果、有効期間切れ等で入出場を許可できないと判定されたときは、ドアＤ1が閉じられて改札通路Ｐの通過が阻止されるとともに、スピーカ７及び表示画面８を介して精算処理等の所定の案内が行われる。この場合は、当然、カードＡ，Ｂに対しての新たな入出場データの書込みは行われない。
【００２０】
カードＡ，Ｂのメモリ３３に新たな入出場データがそれぞれ書込まれたことを示す所定の信号が所定の時間内に改札機本体Ｇ（ＣＰＵ２２）に受信されたときは（Ｓ１０８肯定）、ＣＰＵ２２は、書込処理が完了し、一連の入出場処理が正常に終了したと判定してドアＤ1が開かれて（改札機本体Ｇがノーマルオープン型のときは、そのまま）改札通路Ｐの通過が許可される（Ｓ１１０）。
【００２１】
カードＡ，Ｂのメモリ３３に新たな入出場データがそれぞれ書込まれたことを示す所定の信号が所定の時間内に改札機本体Ｇ（ＣＰＵ２２）に受信されないときは（Ｓ１０８否定）、ドアＤ1が閉じられて改札通路Ｐの通過が阻止されるとともに、スピーカ７及び表示画面８を介して再かざしが案内される（Ｓ１０９）。
【００２２】
さて、上述の書込処理について図５のフローチャートを用いて説明する。カードＡ，Ｂから読み取られたカードデータを用いて行われた演算処理の結果の新たな入出場データがカードＡ，Ｂに書き込まれるときは、その書き込みタイミングが到来すると、改札機本体Ｇに予め設定されているカードＡ，Ｂに対する書込順序も指示される。図示の例では、改札機本体Ｇが自社線から他社線に乗継乗車するときに用いられるワンラッチ型の自動改札機であるので、カードＡが最初に書き込まれ、次いでカードＢに書き込まれる旨の書込順序が指示される。そして、その指示に従って最初にカードＡに新たな出場データが書き込まれる（Ｓ２００、Ｓ２０２ａ）。なお、改札機本体Ｇが他社線から自社線に乗継乗車するときに用いられるワンラッチ型の自動改札機のときは、カードＢが最初に書き込まれ、次いでカードＡに書き込まれる旨の書込順序が指示される。そして、その指示に従って最初にカードＢに新たな出場データが書き込まれる（Ｓ２００、Ｓ２０２ｂ）。
【００２３】
カードＡに新たな出場データが書き込まれた後には、再び書込順序の確認が行われる。ここでは書込順序がカードＡ→カードＢであるので（Ｓ２０４ａ肯定）、次にカードＢに対して新たな入場データが書き込まれる（Ｓ２０２ｂ）。ただし、改札機本体Ｇがワンラッチでない通常の自動改札機等のように、カードＢに対して新たな入場データ等の書き込みデータが存在しないときは、カードＡに対する書込完了で書込処理終了となる（Ｓ２０６）。なお、改札機本体Ｇが他社線から自社線に乗継乗車するときに用いられるワンラッチ型の自動改札機のときは、カードＢに新たな出場データが書き込まれた後に再び書込順序の確認が行われる。ここでは書込順序がカードＢ→カードＡであるので（Ｓ２０４ｂ肯定）、次にカードＡに対して新たな入場データが書き込まれる（Ｓ２０２ｂ）。ただし、カードＡに対して新たな入場データ等の書き込みデータが存在しないときは、カードＢに対する書込完了で書込処理は終了となる（Ｓ２０６）。
【００２４】
以上のように、出場する側のカードＡから書込処理が行われるので、仮にカードＢに対する書込処理終了前に利用者イが改札通路Ｐを通過（強行突破）しても、カードＡに対する処理が完了しているので、カードＡのその後の使用に不都合を来たすことがなくなる。なお、書込未了のカードＢは、そのカードＢの会社線（ここでは他社線）から出場するので、その出場の際、その会社線の係員によって書込処理等が可能なので問題は生じない。
【００２５】
なお、上述の例では、改札機本体Ｇは磁気券からなる乗車券及びカードの両方を処理できる兼用型としたが、もちろん、カードのみを処理する専用型としてもよい。また、改札機本体Ｇはワンラッチ用としたが入場用又は出場用の通常の自動改札機としてもよい。この場合は、カードＡ，Ｂは共に自社線用のカードとなる。さらに上述の例では、カードはカードＡ，Ｂの二枚としたが、三枚以上のカードの場合であってもよい。
【図面の簡単な説明】
【００２６】
【図１】本発明に係る改札機本体を改札通路側から見たときの正面図である。
【図２】制御器の電気的構成を示すブロック図である。
【図３】カードの電気的構成を示すブロック図である。
【図４】制御動作を示すフローチャートである。
【図５】書込順序の制御動作を示す説明図である。
【図６】自社線と他社線との連絡改札口に設置されるワンラッチ型の自動改札機の説明図である。
【符号の説明】
【００２７】
Ａ、Ｂ  非接触型ＩＣカード（カード）
Ｇ  自動改札機の本体（改札機本体）
Ｇ1  筐体
Ｄ1，Ｄ2  ドア
１  投入口
２  アンテナ
３  取出口
４ａ〜４ｆ  透過型人間検知器
５  センサ取付ボックス
６ａ〜６ｃ  反射型人間検知器
７  スピーカ
８  表示画面
Ｌ  報知灯
Ｃ  制御器
２０  ＲＯＭ
２１  ＲＡＭ
２２  ＣＰＵ
イ  利用者（旅客）
【図１】
2008123077.tif 000003
【図２】
2008123077.tif 000004
【図３】
2008123077.tif 000005
【図４】
2008123077.tif 000006
【図５】
2008123077.tif 000007
【図６】
2008123077.tif 000008